(57)【要約】      （修正有）【課題】水中の酸素含有飽和量を増加できる逆流交換装置を提供する。【解決手段】容器と、容器内に設けられる波浪層と酸素気体貯蔵交換タンクと、容器の上方に設けられる入水口と気体排水口と、容器の下方に設けられる出水口と気体注入口とを備える。入水口は、前端にフィルターが設けられ、フィルターの前端に飲用水の水源が接続される。【選択図】図１
0003176220.tif 000002
【実用新案登録請求の範囲】
【請求項１】
容器と、気体交換のため前記容器の内に順序に設けられる少なくとも一層の波浪層と、気体交換のため前記容器内の各波浪層の上に設けられる少なくとも一つの酸素気体貯蔵交換タンクと、水を前記容器に注入するため前記容器の上方に設けられる一つの入水口と、水を前記容器から排出するため前記容器の下方に設けられる一つの出水口と、ピュア酸素を前記容器に注入するため前記容器の下方に設けられる一つの気体注入口と、低い酸素濃度の気体を前記容器から排出するため前記容器の上方に設けられる一つの気体排出口と、を備えることを特徴とする逆流交換装置。
【請求項２】
前記容器の材質は、プラスチック材質であることを特徴とする請求項１に記載の逆流交換装置。
【請求項３】
前記容器の材質は、カーボン繊維であることを特徴とする請求項１に記載の逆流交換装置。
【請求項４】
前記容器の材質は、金属材質であることを特徴とする請求項１に記載の逆流交換装置。
【請求項５】
前記容器の形状は、円柱形であることを特徴とする請求項１に記載の逆流交換装置。
【請求項６】
前記入水口の前端に水中の雑質をろ過するためのフィルターが設けられることを特徴とする請求項１に記載の逆流交換装置。
【請求項７】
前記入水口の前端に水源が接続されることを特徴とする請求項１に記載の逆流交換装置。
【考案の詳細な説明】
【技術分野】
【０００１】
本考案は、飲用水ろ過装置であり、特に水中の酸素溶解飽和量を増加できる逆流交換装置に関するものである。
【背景技術】
【０００２】
水は人体を構成する重要な成分であり、例えば、血液、リンパ液及び身体の分泌物が水に関係がある。水は、成人体重の６０〜７０％に含まれている。血液中の含水量は、約９０％以上である。我々の食事後、食べるや消化、養分の輸送、更に廃棄物の排出は、各段階に水の補佐でうまく進めている。水は、関節を潤いことができる。水は、目玉の乾燥を防止できる。唾液や胃液は、消化を補助する。水も体温調節でき、汗の排出によって体内における高すぎる熱量を排出することができる。沢山の水を飲むことにより、尿酸の降下や、痛風発生の予防や、尿液中のカルシウム濃度を降下する効果を達成でき、尿路の結石を防止することもできる。
【考案の概要】
【考案が解決しようとする課題】
【０００３】
しかしながら、一般業界の飲用水ろ過システムは、下記の効果しか達成できない。
１、 水中における沈殿物及び鉄のさびを有効にろ過する。
２、 水中における塩素及び臭いを有効にろ過する。
３、 濁りを有効にろ過する。
しかし、市販の引用水ろ過装置は、水中の酸素含有量を有効に増加できず、故に水中の酸素含有量を如何に増加するのは、最も重要な課題となる。
【０００４】
従来の飲用水ろ過システムは水中の酸素含有量を増加できない問題を有すると共に、完璧できないことに鑑み、特に酸素気体の利用率が非常に低いことに対して、本考案の提案者は、多年の研究開発が経って最後に酸素気体を有効に利用できると共に、水中の酸素含有量を増加できる逆流交換装置が開発される。
【課題を解決するための手段】
【０００５】
本考案の目的は、上記従来構造の欠点を解決するために、水中の酸素含有飽和量を増加できる逆流交換装置を提供するものである。
【０００６】
上記の目的を達成するために、本考案に係わる逆流交換装置は、中空構造である容器と、気体交換のため前記容器の内に設けられる少なくとも一層の波浪層と、気体交換のため前記容器内の各波浪層の上に設けられる少なくとも一つの酸素気体貯蔵交換タンクと、水を前記容器に注入するため前記容器の上方に設けられる一つの入水口と、水を前記容器から排出するため前記容器の下方に設けられる一つの出水口と、ピュア酸素を前記容器に注入するため前記容器の下方に設けられる一つの気体注入口と、低い酸素濃度の気体を前記容器から排出するため前記容器の上方に設けられる一つの気体排出口と、を備えることを特徴とする。
【０００７】
その中、前記容器の材質は、アクリル樹脂又は金属である。
【０００８】
更にその中、前記入水口の前端に水中の雑質をろ過するためのフィルターが設けられることができる。
【考案の効果】
【０００９】
上記構造によれば、本考案に係わる逆流交換装置は下記のような効果を達成できる。
１.市販の飲用水ろ過装置と配合することにより、水質を更にクリーンにすることができる。
２.本装置は直立に使用する必要があり、気体が水より軽い特徴を利用し、気体が上方へ移動すると共に、水が重力で下方へ流れ、中間における逆流交換装置は酸素気体貯蔵交換タンクと波浪型の界面を介して気体を充分に交換することができ、従って、低い酸素気体濃度の気体が上方の気体排出口から排出し、酸素気体（Ｏ２）をいっぱい含める水が下方の出水口から流れ出す。
３.本考案は水中に含まれる他の気体を排出すると共に、水中の酸素含有量を飽和させる。本考案は、外来のエネルギーを一切不要し、酸素気体を無駄に使用して加圧、釈放する純化プロセスの必要もない。水を下方へ、気体を上方への逆流、気体自動交換の原理を利用し、水中に溶解する酸素を純化すると共に、酸素含有量を飽和させる目的を達成する。
４.本考案の波浪層は、水流の波動を増加するためのものであり、波浪層と波浪層の間に設けられる間隔は、各層の気体が回流で混合することを防止するものであり、水流の波動により気体と水の接触面を増加し、そして気体交換の速度を向上し、これにより、下層から取得する水が大量の酸素気体を含有することができ、他の気体は分圧で酸素気体によって代わられ、最も上層に集中された後、気体排出口から排出される。
【図面の簡単な説明】
【００１０】
【図１】本考案に係わる逆流交換装置の平面構造参考図である。
【図２】本考案に係わる逆流交換装置の斜視構造参考図である。
【考案を実施するための形態】
【００１１】
審査官は本考案の技術特徴をよく理解しやすいために、下記の添付図面及び本考案の実施形態に従って説明する。
【００１２】
図１を参照する。図１は、本考案に係わる逆流交換装置の平面構造参考図であり、本考案に係わる逆流交換装置は、中空設計（本実施例では円柱形である）である容器（１０）と、気体交換のため前記容器（１０）の内に順序に設けられる少なくとも一層の波浪層（２０）と、水を前記容器（１０）に注入するため前記容器（１０）の上方に設けられる一つの入水口（Ａ）と、水を前記容器（１０）から排出するため前記容器（１０）の下方に設けられる一つの出水口（Ｂ）と、ピュア酸素を前記容器（１０）に注入するため前記容器（１０）の下方に設けられる一つの気体注入口（Ｃ）と、気体を前記容器（１０）から排出するため前記容器（１０）の上方に設けられる一つの気体排出口（Ｄ）と、を備える。
【００１３】
使用のとき、水は、前記入水口（Ａ）から前記容器（１０）の内部に進入されると共に、上方から下方へ流れ、酸素気体は、前記入水口（Ａ）から進入した水と所定比例の圧力で前記気体注入口（Ｃ）から前記容器（１０）の内部に進入されるとともに、下方から上方へ流れ、各層の波浪層（２０）を経由して前記各層の波浪層（２０）を利用して水の波動を発生し、水は、上方から下方へ流れる過程中、酸素気体が水中に溶解されると共に、他の気体が酸素気体によって代わられて溶解し出す。最後に前記出水口（Ｂ）から流れ出す水は、酸素気体（Ｏ２）を飽和する水である。
【００１４】
その中、水は、前記入水口（Ａ）から進入し、上方から下方へ流れていく。一般に、正常の水中に含まれる酸素量は、約２〜５ｐｐｍであり、水中に溶解される気体の２０％であり、他の８０％の気体は、窒素（Ｎ２）と、二酸化炭素（ＣＯ２）と、他の気体とを含む。ピュア酸素気体は、前記気体注入口（Ｃ）から進入され、その流量は、前記入水口（Ａ）から進入された水と所定の比例になる。前記波浪層（２０）は、波浪型の界面であり、その目的は、水流の波動を作り出すことである。参考符号Ｅ、Ｆ乃至Ｌは、酸素気体貯蔵交換タンクであり、その目的は、水と酸素気体との接触面積を増加することである。各波浪層（２０）は、一から複数個の酸素気体貯蔵交換タンクを有し、下方へ行くほど、酸素気体の濃度は高くなる。同層のは、開口から離れるほど、酸素気体の濃度は高くなる。
【００１５】
酸素気体（Ｏ２）がいっぱい含まれる水は、前記出水口（Ｂ）から流れ出す。この時、水中の酸素含有量は、約９ｐｐｍ（２０℃、１ａｔｍ）である。前記入水口（Ａ）から入水するときに加圧すれば、又は前記気体注入口（Ｃ）から酸素気体を注入するときに加圧すれば、酸素の溶解量は、大幅に向上する。圧力は、約１５０ｐｓｉ（１１ａｔｍ）に達すれば、酸素の溶解量は、１００ｐｐｍ以上に達することができる。この設計によると、水中における他の気体を排出すると共に、水中の酸素溶解量を飽和させることができる。従って、この装置は、外来の他のエネルギーを必要することがなく、酸素気体を無駄に使用して加圧、釈放する純化プロセスの必要もない。水を下方へ、気体を上方への逆流、気体自動交換の原理を利用し、水中に溶解する酸素を純化すると共に、酸素含有量を飽和させる目的を達成する。
【００１６】
説明する必要のは、酸素気体貯蔵交換タンク（Ｆ）〜（Ｌ）である。各層の逆流交換層は、五つの酸素気体貯蔵交換タンクを有している。下方へ行くほど、酸素気体の濃度は高くなる。同層のは、開口から離れるほど、酸素気体の濃度は高くなる。簡単に言うと、酸素気体の濃度は、Ｆ＞Ｇ＞Ｉ＞Ｊ＞Ｋ＞Ｌ＞Ｍである。他の気体貯蔵タンク（Ｍ）における気体は、酸素気体の濃度が最も低く、前記気体排出口（Ｄ）から排出される。
【００１７】
図２を参照する。図２は、本考案に係わる逆流交換装置の斜視構造参考図であり、本考案に係わる逆流交換装置は、容器（１０）と波浪層（２０）とを備える。図面に示すように、本考案に係わる逆流交換装置を明らかに理解しやすくなる。
【００１８】
説明する必要のは、この装置は、他の気体をろ過するためにも適用でき、酸素気体の収集のために使用するのは限らない。
【００１９】
前記容器（１０）の材質は、プラスチック材質（例えば、アクリル樹脂、ガラス繊維…など）、カーボン繊維又は金属材質（例えば、ステンレス、金、銀、銅、鉄…など）である、
【００２０】
前記入水口（Ａ）の前端に水中の雑質をろ過するためのフィルターが設けられる。或いは、前記入水口（Ａ）の前端に水源（例えば、水道水の水源、タンク水の水源…など）が接続されることができる。
【００２１】
更に、本考案の波浪層（２０）は、水流の波動を増加するものであり、波浪層（２０）と波浪層（２０）の間に設けられる間隔は、各層の気体が回流で混合することを防止するものであり、水流の波動により気体と水の接触面を増加し、そして気体交換の速度を向上し、これにより、下層から取得する水が大量の酸素気体を含有することができ、他の気体は分圧で酸素気体によって代わられ、最も上層に集中された後、気体排出口（Ｄ）から排出される。
【００２２】
上記の説明は、実施形態を通じて本考案を説明するものであり、前記実施形態に対して何れかの補正や変化すること、例えば容器材質の変化などの変化などは、本考案の精神と範囲に含まれるべきである。
【符号の説明】
【００２３】
１０    容器
２０    波浪層
Ａ      入水口
Ｂ      出水口
Ｃ      気体注入口
Ｄ      気体排出口
Ｅ      酸素気体貯蔵交換タンク
Ｆ      酸素気体貯蔵交換タンク
Ｇ      酸素気体貯蔵交換タンク
Ｉ      酸素気体貯蔵交換タンク
Ｊ      酸素気体貯蔵交換タンク
Ｋ      酸素気体貯蔵交換タンク
Ｌ      酸素気体貯蔵交換タンク
Ｍ      他の気体貯蔵タンク
【図１】
0003176220.tif 000003
【図２】
0003176220.tif 000004
【手続補正書】
【提出日】平成22年12月22日(2010.12.22)
【手続補正１】
【補正対象書類名】実用新案登録請求の範囲
【補正対象項目名】全文
【補正方法】変更
【補正の内容】
【実用新案登録請求の範囲】
【請求項１】
容器と、気体交換のため前記容器の内に順序に設けられる少なくとも一層の波浪層と、気体交換のため前記容器内の各波浪層の上に設けられる少なくとも一つの酸素気体貯蔵交換タンクと、飲用水を前記容器に注入するため前記容器の上方に設けられ、前端に水中の雑質をろ過するためのフィルターが設けられると共に、前記フィルターの前端に飲用水の水源が接続される一つの入水口と、飲用水を前記容器から排出するため前記容器の下方に設けられる一つの出水口と、ピュア酸素を前記容器に注入するため前記容器の下方に設けられる一つの気体注入口と、低い酸素濃度の気体を前記容器から排出するため前記容器の上方に設けられる一つの気体排出口と、を備えることを特徴とする逆流交換装置。
【請求項２】
前記容器の材質は、プラスチック材質であることを特徴とする請求項１に記載の逆流交換装置。
【請求項３】
前記容器の材質は、カーボン繊維であることを特徴とする請求項１に記載の逆流交換装置。
【請求項４】
前記容器の材質は、金属材質であることを特徴とする請求項１に記載の逆流交換装置。
【請求項５】
前記容器の形状は、円柱形であることを特徴とする請求項１に記載の逆流交換装置。
【手続補正２】
【補正対象書類名】明細書
【補正対象項目名】全文
【補正方法】変更
【補正の内容】
【考案の詳細な説明】
【技術分野】
【０００１】
本考案は、飲用水ろ過装置であり、特に水中の酸素溶解飽和量を増加できる逆流交換装置に関するものである。
【背景技術】
【０００２】
水は人体を構成する重要な成分であり、例えば、血液、リンパ液及び身体の分泌物が水に関係がある。水は、成人体重の６０〜７０％に含まれている。血液中の含水量は、約９０％以上である。我々の食事後、食べるや消化、養分の輸送、更に廃棄物の排出は、各段階に水の補佐でうまく進めている。水は、関節を潤いことができる。水は、目玉の乾燥を防止できる。唾液や胃液は、消化を補助する。水も体温調節でき、汗の排出によって体内における高すぎる熱量を排出することができる。沢山の水を飲むことにより、尿酸の降下や、痛風発生の予防や、尿液中のカルシウム濃度を降下する効果を達成でき、尿路の結石を防止することもできる。
【考案の概要】
【考案が解決しようとする課題】
【０００３】
しかしながら、一般業界の飲用水ろ過システムは、下記の効果しか達成できない。
１、 水中における沈殿物及び鉄のさびを有効にろ過する。
２、 水中における塩素及び臭いを有効にろ過する。
３、 濁りを有効にろ過する。
しかし、市販の引用水ろ過装置は、水中の酸素含有量を有効に増加できず、故に水中の酸素含有量を如何に増加するのは、最も重要な課題となる。
【０００４】
従来の飲用水ろ過システムは水中の酸素含有量を増加できない問題を有すると共に、完璧できないことに鑑み、特に酸素気体の利用率が非常に低いことに対して、本考案の提案者は、多年の研究開発が経って最後に酸素気体を有効に利用できると共に、水中の酸素含有量を増加できる逆流交換装置が開発される。
【課題を解決するための手段】
【０００５】
本考案の目的は、上記従来構造の欠点を解決するために、水中の酸素含有飽和量を増加できる逆流交換装置を提供するものである。
【０００６】
上記の目的を達成するために、本考案に係わる逆流交換装置は、中空構造である容器と、気体交換のため前記容器の内に設けられる少なくとも一層の波浪層と、気体交換のため前記容器内の各波浪層の上に設けられる少なくとも一つの酸素気体貯蔵交換タンクと、飲用水を前記容器に注入するため前記容器の上方に設けられ、前端に水中の雑質をろ過するためのフィルターが設けられると共に、前記フィルターの前端に飲用水の水源が接続される一つの入水口と、飲用水を前記容器から排出するため前記容器の下方に設けられる一つの出水口と、ピュア酸素を前記容器に注入するため前記容器の下方に設けられる一つの気体注入口と、低い酸素濃度の気体を前記容器から排出するため前記容器の上方に設けられる一つの気体排出口と、を備えることを特徴とする。
【０００７】
その中、前記容器の材質は、アクリル樹脂又は金属である。
【考案の効果】
【０００８】
上記構造によれば、本考案に係わる逆流交換装置は下記のような効果を達成できる。
１.市販の飲用水ろ過装置と配合することにより、水質を更にクリーンにすることができる。
２.本装置は直立に使用する必要があり、気体が水より軽い特徴を利用し、気体が上方へ移動すると共に、水が重力で下方へ流れ、中間における逆流交換装置は酸素気体貯蔵交換タンクと波浪型の界面を介して気体を充分に交換することができ、従って、低い酸素気体濃度の気体が上方の気体排出口から排出し、酸素気体（Ｏ２）をいっぱい含める水が下方の出水口から流れ出す。
３.本考案は水中に含まれる他の気体を排出すると共に、水中の酸素含有量を飽和させる。本考案は、外来のエネルギーを一切不要し、酸素気体を無駄に使用して加圧、釈放する純化プロセスの必要もない。水を下方へ、気体を上方への逆流、気体自動交換の原理を利用し、水中に溶解する酸素を純化すると共に、酸素含有量を飽和させる目的を達成する。
４.本考案の波浪層は、水流の波動を増加するためのものであり、波浪層と波浪層の間に設けられる間隔は、各層の気体が回流で混合することを防止するものであり、水流の波動により気体と水の接触面を増加し、そして気体交換の速度を向上し、これにより、下層から取得する水が大量の酸素気体を含有することができ、他の気体は分圧で酸素気体によって代わられ、最も上層に集中された後、気体排出口から排出される。
【図面の簡単な説明】
【０００９】
【図１】本考案に係わる逆流交換装置の平面構造参考図である。
【図２】本考案に係わる逆流交換装置の斜視構造参考図である。
【考案を実施するための形態】
【００１０】
審査官は本考案の技術特徴をよく理解しやすいために、下記の添付図面及び本考案の実施形態に従って説明する。
【００１１】
図１を参照する。図１は、本考案に係わる逆流交換装置の平面構造参考図であり、本考案に係わる逆流交換装置は、中空設計（本実施例では円柱形である）である容器（１０）と、気体交換のため前記容器（１０）の内に順序に設けられる少なくとも一層の波浪層（２０）と、水を前記容器（１０）に注入するため前記容器（１０）の上方に設けられる一つの入水口（Ａ）と、水を前記容器（１０）から排出するため前記容器（１０）の下方に設けられる一つの出水口（Ｂ）と、ピュア酸素を前記容器（１０）に注入するため前記容器（１０）の下方に設けられる一つの気体注入口（Ｃ）と、気体を前記容器（１０）から排出するため前記容器（１０）の上方に設けられる一つの気体排出口（Ｄ）と、を備える。
【００１２】
使用のとき、水は、前記入水口（Ａ）から前記容器（１０）の内部に進入されると共に、上方から下方へ流れ、酸素気体は、前記入水口（Ａ）から進入した水と所定比例の圧力で前記気体注入口（Ｃ）から前記容器（１０）の内部に進入されるとともに、下方から上方へ流れ、各層の波浪層（２０）を経由して前記各層の波浪層（２０）を利用して水の波動を発生し、水は、上方から下方へ流れる過程中、酸素気体が水中に溶解されると共に、他の気体が酸素気体によって代わられて溶解し出す。最後に前記出水口（Ｂ）から流れ出す水は、酸素気体（Ｏ２）を飽和する水である。
【００１３】
その中、水は、前記入水口（Ａ）から進入し、上方から下方へ流れていく。一般に、正常の水中に含まれる酸素量は、約２〜５ｐｐｍであり、水中に溶解される気体の２０％であり、他の８０％の気体は、窒素（Ｎ２）と、二酸化炭素（ＣＯ２）と、他の気体とを含む。ピュア酸素気体は、前記気体注入口（Ｃ）から進入され、その流量は、前記入水口（Ａ）から進入された水と所定の比例になる。前記波浪層（２０）は、波浪型の界面であり、その目的は、水流の波動を作り出すことである。参考符号Ｅ、Ｆ乃至Ｌは、酸素気体貯蔵交換タンクであり、その目的は、水と酸素気体との接触面積を増加することである。各波浪層（２０）は、一から複数個の酸素気体貯蔵交換タンクを有し、下方へ行くほど、酸素気体の濃度は高くなる。同層のは、開口から離れるほど、酸素気体の濃度は高くなる。
【００１４】
酸素気体（Ｏ２）がいっぱい含まれる水は、前記出水口（Ｂ）から流れ出す。この時、水中の酸素含有量は、約９ｐｐｍ（２０℃、１ａｔｍ）である。前記入水口（Ａ）から入水するときに加圧すれば、又は前記気体注入口（Ｃ）から酸素気体を注入するときに加圧すれば、酸素の溶解量は、大幅に向上する。圧力は、約１５０ｐｓｉ（１１ａｔｍ）に達すれば、酸素の溶解量は、１００ｐｐｍ以上に達することができる。この設計によると、水中における他の気体を排出すると共に、水中の酸素溶解量を飽和させることができる。従って、この装置は、外来の他のエネルギーを必要することがなく、酸素気体を無駄に使用して加圧、釈放する純化プロセスの必要もない。水を下方へ、気体を上方への逆流、気体自動交換の原理を利用し、水中に溶解する酸素を純化すると共に、酸素含有量を飽和させる目的を達成する。
【００１５】
説明する必要のは、酸素気体貯蔵交換タンク（Ｆ）〜（Ｌ）である。各層の逆流交換層は、五つの酸素気体貯蔵交換タンクを有している。下方へ行くほど、酸素気体の濃度は高くなる。同層のは、開口から離れるほど、酸素気体の濃度は高くなる。簡単に言うと、酸素気体の濃度は、Ｆ＞Ｇ＞Ｉ＞Ｊ＞Ｋ＞Ｌ＞Ｍである。他の気体貯蔵タンク（Ｍ）における気体は、酸素気体の濃度が最も低く、前記気体排出口（Ｄ）から排出される。
【００１６】
図２を参照する。図２は、本考案に係わる逆流交換装置の斜視構造参考図であり、本考案に係わる逆流交換装置は、容器（１０）と波浪層（２０）とを備える。図面に示すように、本考案に係わる逆流交換装置を明らかに理解しやすくなる。
【００１７】
説明する必要のは、この装置は、他の気体をろ過するためにも適用でき、酸素気体の収集のために使用するのは限らない。
【００１８】
前記容器（１０）の材質は、プラスチック材質（例えば、アクリル樹脂、ガラス繊維…など）、カーボン繊維又は金属材質（例えば、ステンレス、金、銀、銅、鉄…など）である、
【００１９】
前記入水口（Ａ）の前端に水中の雑質をろ過するためのフィルターが設けられる。或いは、前記入水口（Ａ）の前端に水源（例えば、水道水の水源、タンク水の水源…など）が接続されることができる。
【００２０】
更に、本考案の波浪層（２０）は、水流の波動を増加するものであり、波浪層（２０）と波浪層（２０）の間に設けられる間隔は、各層の気体が回流で混合することを防止するものであり、水流の波動により気体と水の接触面を増加し、そして気体交換の速度を向上し、これにより、下層から取得する水が大量の酸素気体を含有することができ、他の気体は分圧で酸素気体によって代わられ、最も上層に集中された後、気体排出口（Ｄ）から排出される。
【００２１】
上記の説明は、実施形態を通じて本考案を説明するものであり、前記実施形態に対して何れかの補正や変化すること、例えば容器材質の変化などの変化などは、本考案の精神と範囲に含まれるべきである。
【符号の説明】
【００２２】
１０    容器
２０    波浪層
Ａ      入水口
Ｂ      出水口
Ｃ      気体注入口
Ｄ      気体排出口
Ｅ      酸素気体貯蔵交換タンク
Ｆ      酸素気体貯蔵交換タンク
Ｇ      酸素気体貯蔵交換タンク
Ｉ      酸素気体貯蔵交換タンク
Ｊ      酸素気体貯蔵交換タンク
Ｋ      酸素気体貯蔵交換タンク
Ｌ      酸素気体貯蔵交換タンク
Ｍ      他の気体貯蔵タンク